(57)【要約】    【課題】  鉱石粉から放射される遠赤外線等の効果を効率的に利用することができるとともに、運搬や保管に便利で、軽量で且つ厚みも比較的薄く形成される岩盤浴装置用又は低温サウナ装置用構造体を提供することである。    【解決手段】  ＦＲＰ板（１２）と、ＦＲＰ板の上面に塗布された鉱石粉の層（１４）と、ＦＲＰ板の下面に配置された発熱体（１６）と、発熱体の下面に配置された木製板（１８）と、木製板の下面に配置された不飽和ポリエステル樹脂層（２０）とを備え、鉱石粉が、黒鉛珪石、角閃石、麦飯石、トルマリン、石英片岩、天照石、及び極微弱放射線を放射する鉱石のうち一種又は二種以上の鉱石を粒状又は粉末状にしたものであることを特徴とする構造体（１０）が提供される。【選択図】  図１
0003116964.tif 000002
【実用新案登録請求の範囲】
【請求項１】
岩盤浴装置又は低温サウナ装置を形成するのに用いられる構造体であって、
ＦＲＰ板と、
前記ＦＲＰ板の上面に塗布された鉱石粉の層と、
前記ＦＲＰ板の下面に配置された発熱体と、
前記発熱体の下面に配置された木製板と、
前記木製板の下面に配置された不飽和ポリエステル樹脂層とを備え、
前記鉱石粉が、黒鉛珪石、角閃石、麦飯石、トルマリン、石英片岩、天照石、及び極微弱放射線を放射する鉱石のうち一種又は二種以上の鉱石を粒状又は粉末状にしたものである、
ことを特徴とする構造体。
【請求項２】
建築用又は住宅用の板材であって、
ＦＲＰ板と、
前記ＦＲＰ板の上面に塗布された鉱石粉の層と、
前記ＦＲＰ板の下面に配置された木製板と、
前記木製板の下面に配置された不飽和ポリエステル樹脂層とを備え、
前記鉱石粉が、黒鉛珪石、角閃石、麦飯石、トルマリン、石英片岩、天照石、及び極微弱放射線を放射する鉱石のうち一種又は二種以上の鉱石を粒状又は粉末状にしたものである、
ことを特徴とする板材。
【考案の詳細な説明】
【技術分野】
【０００１】
本考案は、岩盤浴装置又は低温サウナ装置を形成するのに用いられる構造体及び建築用又は住宅用板材に関する。
【背景技術】
【０００２】
入浴やサウナには、心身をリラックスさせたり、発汗作用を促し、体内の老廃物を体外に排出させたりする効能があるものの、着衣のままで利用することはできず、入浴したりサウナを利用したりするには、脱衣しなければならない。このため、パジャマや室内着などを着用したままで手軽に低温サウナ効果を体験することができる岩盤浴装置又は低温サウナ装置が人気を博している。
【０００３】
従来の岩盤浴装置又は低温サウナ装置は、基本的には、遠赤外線やマイナスイオン、微弱放射線を放射する鉱石粉をセメント等と混合して硬化させた板材と、遠赤外線等を放射させるべく、前記板材を加熱するための加熱源（温水パイプ、電気ヒータ等）とから構成されている。
【考案の開示】
【考案が解決しようとする課題】
【０００４】
しかしながら、遠赤外線等を放射する鉱石粉と人体との距離が近いほど遠赤外線等の効果を人体により効率的に作用させることができることが知られているが、上述のような板材では、板材の上に仰臥する人体と板材中の鉱石粉との間に一定の間隔が存在するため、鉱石粉から放射される遠赤外線等の効果を効率的に利用することができないという課題がある。また、セメント等と混合して硬化させた板材は、非常に重いため、運搬や保管に不便であるという課題もある。さらに、上述の板材は、厚くなるため、設置スペースを必要とするという課題もある。
【０００５】
本考案は、このような状況に鑑みて案出されたものであって、鉱石粉から放射される遠赤外線等の効果を効率的に利用することができるとともに、運搬や保管に便利で、軽量で且つ厚みも比較的薄く形成される岩盤浴装置用又は低温サウナ装置用構造体を提供することを目的としている。
【課題を解決するための手段】
【０００６】
本願請求項１に記載の岩盤浴装置用又は低温サウナ装置用構造体は、ＦＲＰ板と、前記ＦＲＰ板の上面に塗布された鉱石粉の層と、前記ＦＲＰ板の下面に配置された発熱体と、前記発熱体の下面に配置された木製板と、前記木製板の下面に配置された不飽和ポリエステル樹脂層とを備え、前記鉱石粉が、黒鉛珪石、角閃石、麦飯石、トルマリン、石英片岩、天照石、及び極微弱放射線を放射する鉱石のうち一種又は二種以上の鉱石を粒状又は粉末状にしたものであることを特徴とするものである。
【０００７】
本願請求項２に記載の建築用又は住宅用の板材は、ＦＲＰ板と、前記ＦＲＰ板の上面に塗布された鉱石粉の層と、前記ＦＲＰ板の下面に配置された木製板と、前記木製板の下面に配置された不飽和ポリエステル樹脂層とを備え、前記鉱石粉が、黒鉛珪石、角閃石、麦飯石、トルマリン、石英片岩、天照石、及び極微弱放射線を放射する鉱石のうち一種又は二種以上の鉱石を粒状又は粉末状にしたものであることを特徴とするものである。
【考案の効果】
【０００８】
本考案の構造体によれば、遠赤外線等が放射される鉱石粉の層が構造体の上面に位置しており、利用者との間に他の介在物がなく、しかも利用者と近接しているので、利用者に対して効率的に遠赤外線等が放射される。また、構造体を比較的薄く形成することができるので、運搬や保管に便利であり、軽量で且つ厚みを比較的薄くなり、設置スペースの節約にもなる。さらに、発熱体の層を省いて、建築用又は住宅用の板材として用いることもできる。
【考案を実施するための最良の形態】
【０００９】
次に添付図面を参照して、本考案の好ましい実施の形態に係る岩盤浴装置又は低温サウナ装置用構造体について詳細に説明する。図１は、本考案の好ましい実施の形態に係る岩盤浴装置又は低温サウナ装置用構造体を示した斜視図、図２は、図１の構造体の断面図である。
【００１０】
図１および図２において全体として参照符号１０で示される本考案の好ましい実施の形態に係る岩盤浴装置又は低温サウナ装置用構造体は、ガラス繊維強化プラスチック（以下「ＦＲＰ」という）板１２と、ＦＲＰ板１２の上面に塗布された鉱石粉の層１４とを備えている。層１４を形成する鉱石粉は、黒鉛珪石、角閃石、麦飯石、トルマリン、石英片岩（「原陽石」と通称される）、天照石、及び極微弱放射線を放射する鉱石（「ラジウム鉱石」又は「ラドン鉱石」と通称される）のうち一種又は二種以上の鉱石を粒状又は粉末状にしたものである、
【００１１】
ＦＲＰ板１２への鉱石粉の塗布は、上面に接着剤が塗布されたＦＲＰ板１２上に鉱石粉を散布することによって行われる。なお、鉱石粉の層１４の上に利用者が仰臥するため、鉱石粉を散布した後、鉱石粉の層１４をグラインダ等で平滑にするのがよい。
【００１２】
岩盤浴装置又は低温サウナ装置用構造体１０は又、ＦＲＰ板１２の下面に配置された発熱体１６を備えている。発熱体１６は、普通の面状発熱体や発熱線を使用してよい。
【００１３】
岩盤浴装置又は低温サウナ装置用構造体１０は又、発熱体１６の下面に配置された木製板１８を備えている。木製板１８は、例えば、コンパネと通称されるコンクリート型枠用合板などの普通の木質部材で形成してよい。この木製板１８は、構造体１０の強度を保持する支持層及び断熱材層としての役目を果たす。なお、木製板１８と発熱体１６との間に、不飽和ポリエステル樹脂層１７が配置されている。
【００１４】
岩盤浴装置又は低温サウナ装置用構造体１０は更に、木製板１８の下面に配置された不飽和ポリエステル樹脂層２０を備えている。
【００１５】
次に、以上のように構成された岩盤浴装置又は低温サウナ装置用構造体１０の使用について説明する。構造体１０を床材、壁材、天井材等として用いて岩盤浴装置又は低温サウナ装置を形成する。そして、発熱体１６を加熱すると、鉱石粉の層１４から、遠赤外線や微弱放射線が放射されるとともに、マイナスイオンが放出される。これにより、皮脂腺やアポクリン腺からの発汗が促され、中性脂肪やコレステロールの他、体内の老廃物や有害化学物質が体外に搬出される。また、身体がマイナスイオンに曝されることにより、体内の新陳代謝が一層促進される。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１７】
例えば、前記実施の形態では、構造体１０が矩形形状に形作られているが、岩盤浴装置や低温サウナ装置に合わせて他の任意の形状に形作ってもよい。
【００１８】
また、構造体１０において、発熱体１６及びそれに付属する不飽和ポリエステル樹脂層１７を省いて、建築用又は住宅用の板材として用いることもできる。
【図面の簡単な説明】
【００１９】
【図１】本考案の好ましい実施の形態に係る岩盤浴装置又は低温サウナ装置用構造体を示した斜視図である。
【図２】図１の構造体の断面図である。
【符号の説明】
【００２０】
１０  岩盤浴装置又は低温サウナ装置用構造体
１２  ＦＲＰ板
１４  鉱石粉の層
１６  発熱体
１７  不飽和ポリエステル樹脂層
１８  木製板
２０  不飽和ポリエステル樹脂層
【図１】
0003116964.tif 000003
【図２】
0003116964.tif 000004